(57)【特許請求の範囲】
【請求項１】
排水路に対して着脱するための把手を有し、相互の間に間隙をおいて平行に配置された複数個の条片がこれと直交する連結部材で連結されている把手付簀子において、前記条片の一部に切れ目を入れ、前記条片の上面より上方に突出するよう前記連結部材に回動自在に軸着した条片部分で前記把手を構成したことを特徴とする把手付簀子。
【請求項２】
排水路に対して着脱するための把手を有し、相互の間に間隙をおいて平行に配置された複数個の条片がこれと直交する連結部材で連結されている把手付簀子において、いずれか１つの前記条片の少なくとも一端部分において当該条片の一部に切れ目を入れ、前記条片の上面より上方に突出するよう前記連結部材に回動自在に軸着した条片部分で前記把手を構成したことを特徴とする把手付簀子。
【請求項３】
排水路に対して着脱するための把手を有し、相互の間に間隙をおいて平行に配置された複数個の条片がこれと直交する連結部材で連結されている把手付簀子において、いずれか１つの前記条片の中間部分において当該条片の一部に一対の切れ目を入れ、前記条片の上面より上方に突出するよう前記連結部材に回動自在に軸着した条片部分で前記把手を構成したことを特徴とする把手付簀子。
【請求項４】
前記把手の上面を押圧することにより前記連結部材の周りに前記把手が起立状態手前まで回動するよう前記切れ目が形成されている請求項１〜請求項３のいずれかに記載の把手付簀子。
【請求項５】
前記把手の上面を押圧することにより前記連結部材の周りに前記把手が起立状態まで回動するよう前記切れ目が形成されている請求項１〜請求項３のいずれかに記載の把手付簀子。
【発明の詳細な説明】
【０００１】
【発明の属する技術分野】
この発明は、例えば浴室の洗い場等に設けられた排水路に対して着脱するための把手を有する把手付簀子に関するものである。
【０００２】
【従来の技術および発明が解決しようとする課題】
従来この種の把手は、簀子の構成部材とは別の部材を簀子に取り付けているが、ストッパー機能を設ける必要がある等構成が複雑であった（実公平６−３３９０５号公報、特開平９−８８１３９号公報参照）。
【０００３】
この発明は、排水路に対する着脱が容易で、歩行の際邪魔にならず、かつ、簡易な構成の把手を有する把手付簀子を提供することを目的とする。
【０００４】
【課題を解決するための手段】
上記目的を達成するために、この発明は、排水路に対して着脱するための把手を有し、相互の間に間隙をおいて平行に配置された複数個の条片がこれと直交する連結部材で連結されている把手付簀子において、前記条片の一部に切れ目を入れ、前記条片の上面より上方に突出するよう前記連結部材に回動自在に軸着した条片部分で前記把手を構成してある。
【０００５】
また、この発明は別の観点から、排水路に対して着脱するための把手を有し、相互の間に間隙をおいて平行に配置された複数個の条片がこれと直交する連結部材で連結されている把手付簀子において、いずれか１つの前記条片の少なくとも一端部分において当該条片の一部に切れ目を入れ、前記条片の上面より上方に突出するよう前記連結部材に回動自在に軸着した条片部分で前記把手を構成してある。
【０００６】
更に別の観点から、この発明は、排水路に対して着脱するための把手を有し、相互の間に間隙をおいて平行に配置された複数個の条片がこれと直交する連結部材で連結されている把手付簀子において、いずれか１つの前記条片の中間部分において当該条片の一部に一対の切れ目を入れ、前記条片の上面より上方に突出するよう前記連結部材に回動自在に軸着した条片部分で前記把手を構成してある。
【０００７】
【発明の実施の形態】
以下にこの発明の実施の形態について説明する。なお、この発明はそれによって限定されるものではない。
【０００８】
図１〜図６は、この発明の第１の実施形態を示す。
図１〜図６において、１は浴室の洗い場で、浴室の出入口側となる脱衣室（図示せず）側に壁２が設けられ、洗い場１の床面１ａには、排水路となる排水溝３が形成されている。この排水溝３は両側上部に段部３ａ，３ａを有する。４は、浴室内の排水が集められる排水部である。
【０００９】
５，５…は複数個の条片である。各条片５は、例えばステンレスの薄板を板金加工により折り曲げて形成されている枠体６と、滑り止め部材８とから構成されている。すなわち、６ａは枠体６の上溝部で、６ｂは枠体６の下脚部である。そして、前記上溝部６ａには例えば硬質塩化ビニール製滑り止め部材８が嵌合されている。
【００１０】
前記条片５，５…は、相互の間に一定の間隙ｍをおいて平行に固定配置されるよう前記条片５，５…に直交する連結部材９，９…で連結されている。各連結部材９は条片５の長手方向に直交する状態で略等間隔に位置している。つまり、各連結部材９はボルト９ａとナット９ｂで構成されており、ボルト挿入方向に向いて両側（外側）に位置する連結部材９，９用のボルト挿通孔１０，１０，１０，１０および後述する筒状スペーサ１１’用の孔１０’（図２、図６参照）が前記各下脚部６ｂ，６ｂ…の対応する位置にそれぞれ設けられている。また、前記両側以外（内側）に位置する連結部材９，９，９用のボルト挿通孔１０，１０，１０，１０，１０（図３参照）も前記各下脚部６ｂ，６ｂ…の対応する位置にそれぞれ設けられている。また、前記孔１０’の径は他のボルト挿通孔１０の径よりも後述する環状小径部分Ｆの厚みだけ大に設定されている。
【００１１】
２０，２０は一対の把手で、複数個の条片５，５…のうち中央に位置する条片５の両端部分で構成されている。すなわち、各把手２０は、条片５の１箇所に正面視Ｖ形状の切れ目２１を入れることによって形成されており、前記滑り止め部材８の上面Ｓより上方に突出するよう前記外側に位置する前記連結部材９に回動自在に軸着されている。前記切れ目２１は、枠体６と滑り止め部材８にわたり形成されている。
【００１２】
図２に示す１１，１１’，１１，１１は、前記外側に位置する各連結部材９を通すための筒状スペーサで、図３に示す１１，１１，１１，１１は、前記内側に位置する各連結部材９を通すための筒状スペーサで、条片５，５間の間隙ｍを保つために下脚部６ｂ，６ｂ間に横置き状態で配置されている。前記各筒状スペーサにはボルト挿通孔１０の径と同一径の内径を有する孔１２が形成されている。
【００１３】
そして、図２、図６に示す位置においては、ボルト９ａは、ボルト挿通孔１０，１０，１０，１０ならびに筒状スペーサ１１，１１’，１１，１１の孔１２を通ってナット締めされる。一方、図３に示す位置においては、ボルト９ａは、ボルト挿通孔１０，１０，１０，１０，１０ならびに筒状スペーサ１１，１１，１１，１１の孔１２を通ってナット９ｂ締めされる。
【００１４】
前記筒状スペーサ１１’は、他の筒状スペーサ１１，１１…と異なり、把手２０の連結部材９に対する軸着機構を構成する。すなわち、筒状スペーサ１１’の一端には、筒状スペーサ１１’の大径部分を凹ませた形状の環状小径部分Ｆが形成されている。この環状小径部分Ｆの外径は、上述したような前記孔１０’と略同一に設定されている。よって、ボルト９ａ締めによって固定された環状小径部分Ｆの外周を前記孔１０’の周部が摺動することで把手２０が回動する。そして、以上のように構成された把手付簀子は、両側の条片５，５を排水溝３の段部３ａ，３ａ上に下脚部７，７を介して落とし込んだ状態で、排水溝３上に取り付けられる。この場合、前記各滑り止め部材８の上面Ｓおよび前記床面１ａならびに脱衣室の床面は、略同一面を形成するよう配置されており、浴室の出入り時に、入浴者等が楽に歩けるようになっている。
【００１５】
而して、排水路３から簀子を取り外すには、図４、図５に示すように把手２０の上面ｎの内側を押圧するだけで連結部材９を中心として回動し、把手２０の外側部分２０ａが条片５側の滑り止め部材８の上面Ｓの上方に突出する。この場合、把手２０の内側部分（切れ目２１の側）２０ｂにおける傾斜面ａの上端が、対向する切れ目２１の傾斜面ｂの下部に当接する。この状態で外側部分２０ａを持ち上げることになり、左右の把手２０を両手で最も持ち易い状態に設定できる。すなわち、把手２０は当接部分Ｐによって回転方向への移動が阻止されてこれ以上起立しなくなり、手が滑り難く持ち運びに最適の傾斜した状態で簀子を取り外しできる。同様に、手が滑り難く持ち運びに最適の傾斜した状態で簀子を排水路３に取り付けできる。
【００１６】
図７は、複数個の条片５，５…のうち中央に位置する条片５の両端部分で構成してある把手２０の異なる軸着機構を示すこの発明の第２の実施形態である。なお、図７において、図１〜図６で用いた符号と同一のものは、同一または相当物である。
この実施形態では、中央に位置する筒状スペーサ１１’’と隣接する筒状スペーサ１１とは、軸方向の長さが異なっており、前記筒状スペーサ１１’’の軸方向の長さＬが両端の筒状スペーサ１１の軸方向の長さＬ’の２倍に設定されている。この場合、筒状スペーサ１１，１１’’，１１にはボルト挿通孔１０，１０，１０，１０の径と同一径の内径を有する孔１２が形成されている。一方、１０’’は、前記筒状スペーサ１１’’の挿通孔で、筒状スペーサ１１’’および筒状スペーサ１１の外径と同一に設定してある。この実施形態でも、筒状スペーサ１１’’の外周を前記挿通孔１０’’の周部が摺動することで把手２０を回動させることができる。
【００１７】
図８は、把手２０を、複数個の条片５，５…のうち中央に位置する条片５の一端部分で構成してあるこの発明の第３の実施形態を示す。なお、図８において、図１〜図７で用いた符号と同一のものは、同一または相当物である。
【００１８】
図９は、把手２０を、複数個の条片５，５…のうち中央に位置する条片５の中間部分で構成してあるこの発明の第４の実施形態を示す。なお、図９において、図１〜図８で用いた符号と同一のものは、同一または相当物である。
この場合、前記中央に位置する条片５に前記切れ目２１ともう一つの切れ目３１を入れる必要がある。この切れ目３１も、前記切れ目２１と同様、枠体６の上溝部６ａ、枠体６の下脚部６ｂおよび滑り止め部材８にわたり形成されている。
【００１９】
図１０〜図１２は、２つの把手２０を、起立状態まで回動できるように構成されたこの発明の第５の実施形態示す。なお、図１０〜図１２において、図１〜図９で用いた符号と同一のものは、同一または相当物である。
この場合、斜め方向に切れ目４０を入れることで、把手２０の上面ｎの内側を押圧するだけで連結部材９を中心として回動し、把手２０の外側部分２０ａが条片５側の滑り止め部材８の上面Ｓ上方に突出し、把手２０の外側部分２０ａが起立状態に位置する。そして、この起立状態の外側部分２０ａを持ち上げることにより、簀子を取り外し・取り付けできる。
【００２０】
図１３は、把手２０を、複数個の条片５，５…のうち中央に位置する条片５の中間部分で構成するとともに、把手２０を、起立状態まで回動できるように構成したこの発明の第６の実施形態を示す。この場合、条片５に斜め方向に一対の切れ目５０を入れる必要がある。
【００２１】
以上、上記各実施形態では、排水路３に対する着脱が容易で、歩行の際邪魔にならず、かつ、従来のように別部材を用いることなく条片５の所定箇所に切れ目２１，３１，４０，５０を入れるだけの簡易な構成の把手２０を有する把手付簀子を提供できる。
【００２２】
なお、上記各実施形態では、複数個の条片５，５…のうち中央に位置する条片５に切れ目２１，３１，４０，５０を入れて把手２０を構成したものを示したが、中央に位置する以外の条片に切れ目を入れて把手を構成してもよい。
【００２３】
また、切れ目２１，３１，４０，５０の形状は、上記各実施形態のものに限定されるものではなく、条片の上面より上方に突出するよう把手を構成できるものであれば、種々の形状を採用できる。
【００２４】
【発明の効果】
以上説明したように、この発明によれば、条片の一部に切れ目を入れ、前記条片の上面より上方に突出するよう連結部材に回動自在に軸着した条片部分で把手を構成したので、排水路に対する着脱が容易で、歩行の際邪魔にならず、かつ、従来のように別部材を用いることなく簡易な構成の把手を有する把手付簀子を提供できる。
【図面の簡単な説明】
【図１】この発明の第１の実施形態を示す斜視図である。
【図２】上記実施形態におけるＡ−Ａ線矢視断面図である。
【図３】上記実施形態におけるＢ−Ｂ線矢視断面図である。
【図４】上記実施形態における動作を説明するための図である。
【図５】同じく上記実施形態における動作を説明するための図である。
【図６】上記実施形態における要部分解斜視図である。
【図７】この発明の第２の実施形態を示す図で、図２に対応する図である。
【図８】この発明の第３の実施形態を示す斜視図である。
【図９】この発明の第４の実施形態における動作を説明するための図である。
【図１０】この発明の第５の実施形態を示す斜視図である。
【図１１】上記第５の実施形態における動作を説明するための図である。
【図１２】同じく上記第５の実施形態における動作を説明するための図である。
【図１３】この発明の第６の実施形態における動作を説明するための図である。
【符号の説明】
５…条片、３…排水溝、９…連結部材、２０…把手、２１…切れ目。
【図１】
0003684032.tif 000002
【図２】
0003684032.tif 000003
【図３】
0003684032.tif 000004
【図４】
0003684032.tif 000005
【図５】
0003684032.tif 000006
【図６】
0003684032.tif 000007
【図７】
0003684032.tif 000008
【図８】
0003684032.tif 000009
【図９】
0003684032.tif 000010
【図１０】
0003684032.tif 000011
【図１１】
0003684032.tif 000012
【図１２】
0003684032.tif 000013
【図１３】
0003684032.tif 000014